(57)【要約】【課題】  小型軽量で濡れ傘の持ち運びに便利な携帯用傘ホルダー。【解決手段】  携帯用傘ホルダー１０はケース１と水受け３と螺旋状帯板６とから成り、ケース１はリング部１ａと膨出部１ｂとから成る。底板付き筒状の水受け３には開口部３ａから長手方向に延在して互いに対向する平板状の舌片部と、断面略円弧形状のガイド部３ｃとが形成されている。螺旋状帯板６の一端は水受け３の舌片部に、他端はケース１のリング部１ａの収納凹部１ｆ内に接続されている。携帯用傘ホルダー１０の不使用時には、水受け３はその主要部がケース１の中央穴１ｅへ収納され、螺旋状帯板６はリング部１ａのリング状収納凹部に収納される。舌片部３ｂは膨出部１ｂ下にある突起１ｄと着脱できる。水受け３内には石突きを保持するための保持部材５が、水受け３の内壁に接するように配設されている。この保持部材５は水受け３の開口部３ａ側の胴部の端部近傍の内壁から中心に向かって延在する複数の片持ち張り出し片をもっている。【選択図】      図１
2005237572.tif 000002
【特許請求の範囲】
【請求項１】
濡れ傘を持ち運ぶための携帯用傘ホルダーにおいて、螺旋状帯板と、この螺旋状帯板の一端に接続した水受けと、前記螺旋状帯板の他端に接続したケースとから成り、前記螺旋状帯板及び前記水受けが前記ケースに収納展開可能に構成されていることを特徴とする携帯用傘ホルダー。
【請求項２】
前記ケースは略リング形状を成し、前記螺旋状帯板を収納する収納凹部が形成されていることを特徴とする請求項１記載の携帯用傘ホルダー。
【請求項３】
前記ケースには前記水受けを着脱可能な係止部を有することを特徴とする請求項１又は請求項２記載の携帯用傘ホルダー。
【請求項４】
前記ケースのリング部上面には低くなっている部位があることを特徴とする請求項２又は請求項３記載の携帯用傘ホルダー。
【請求項５】
前記ケースの上面が低くなっている前記部位のリング部には外側へ膨出する膨出部を有し、この膨出部に前記係止部が設けられていることを特徴とする請求項４記載の携帯用傘ホルダー。
【請求項６】
前記水受けには開口部から外側へ延在して配設された舌片部を有し、この舌片部に前記螺旋状帯板の一端が接続していることを特徴とする請求項１乃至請求項５のいずれかに記載の携帯用傘ホルダー。
【請求項７】
前記水受けには前記舌片部に対向するように前記開口部から外側へ延在して配設されたガイド部を有し、このガイド部によって濡れ傘の石突きが前記水受け内に案内されることを特徴とする請求項２乃至請求項６のいずれかに記載の携帯用傘ホルダー。
【請求項８】
前記水受けの主要部は前記ケースの中央穴に収納されるが、このとき前記舌片部及び前記ガイド部は前記ケースのリング部を挟むようになることを特徴とする請求項２乃至請求項７のいずれかに記載の携帯用傘ホルダー。
【請求項９】
前記水受けには挿入された前記石突きを保持するための保持部材が配設されていることを特徴とする請求項１乃至請求項８のいずれかに記載の携帯用傘ホルダー。
【請求項１０】
前記保持部材は弾性材料により形成された筒状胴部を有し、この胴部内壁から中心に向かって延在する複数の片持ち張り出し片を有することを特徴とする請求項９記載の携帯用傘ホルダー。
【請求項１１】
前記保持部材は弾性材料により形成された筒状胴部を有し、この胴部中央にカップ形状の穴を有することを特徴とする請求項９記載の携帯用傘ホルダー。
【請求項１２】
前記水受けには着脱可能な蓋を有することを特徴とする請求項１乃至請求項１１のいずれかに記載の携帯用傘ホルダー。
【請求項１３】
前記蓋は前記水受けと連結部によって接続されていることを特徴とする請求項１２記載の携帯用傘ホルダー。
【請求項１４】
前記蓋が前記保持部材を兼ねていることを特徴とする請求項１２記載の携帯用傘ホルダー。
【請求項１５】
前記螺旋状帯板の縦断面は前記ケースを上にした姿勢で内端が外端より低い位置にあることを特徴とする請求項１乃至請求項１４のいずれかに記載の携帯用傘ホルダー。
【請求項１６】
前記螺旋状帯板の巻き方向は前記ケースを上にした姿勢で上から下に向かって時計回りであることを特徴とする請求項１乃至請求項１５のいずれかに記載の携帯用傘ホルダー。
【発明の詳細な説明】
【技術分野】
【０００１】
本発明は、濡れ傘を持ち運ぶための携帯用傘ホルダーに関する。
【背景技術】
【０００２】
従来、濡れ傘を持ち運ぶためには、店頭などに傘袋スタンドが用意してあり、店に入る際にこの袋をちぎって濡れ傘に被せ、店を出る際に袋を外してスタンドに戻す。このような使い捨て方式の高密度ポリエチレン製傘袋が広く普及している。また、公共施設等には厚手の再生塩化ビニール製の貸し出し用傘袋が用意してあり、入館の際に濡れ傘をこの傘袋に挿入して持ち運び、退館の際に返却して使い回しされるものもある。更に、このような携帯用傘ホルダーとしては、蛇腹式に伸縮するプラスチックやゴム状素材の筒状傘袋などが考案されており、この傘袋は蛇腹を伸ばして濡れ傘を収納して持ち運び、傘を抜いたときに蛇腹を縮めて携帯するものである。（例えば、特許文献１特開２００２−２０９６１９参照。）また、複数個の筒体が着脱自在に縦に組み合わされて伸縮自在な筒状体を形成した傘入れケースや、あるいはこれを傘に組み込んだものなどが考案されている（例えば、特許文献２参照。）。
【０００３】
なお、濡れ傘の水切り装置としては、濡れ傘を装置に挿抜して濡れ傘の水切りを行う動力付きの装置や、動力によらずにリング状枠内に一端が固定され、他端が中央方向へ伸びるように多数の剛直な可撓性樹脂製線状体が立植配置されているものであり、この可撓性樹脂製線状体の上記他端に傘が接触するように上記リング状枠の中央に傘を挿入且つ取り出し可能としたものが考案されているが、これらのものは本発明の技術分野である濡れ傘を持ち運ぶための携帯用傘ホルダーとは異なる技術分野のものである（例えば、特許文献３参照。）。
【特許文献１】特開２００２−２０９６１９号（図１、段落００２４〜００２９）
【特許文献２】特開２００２−２１９０１３号（図１、図２、段落００１５〜００２０）
【特許文献３】特開平７−１５９０３０号（図１、図２、段落００１３〜００１７）
【発明の開示】
【発明が解決しようとする課題】
【０００４】
しかしながら、使い捨ての傘袋は扱いが煩わしく、スタンド内に戻されず周辺に水と共に散らかり景観を悪くする。また、ゴミ処理上も手間がかかったり、水分が焼却炉の温度を下げて有害ガスを出すなどの問題がある。また、厚手の傘袋は袋がへたって携帯に不便であり、濡れると乾きにくくかびが生えたりする。更に、特許文献１や特許文献２などのものは、袋や筒体がかさばって重くもあり隙間に水が入ると乾きにくく携帯には不便であるという問題がある。更にまた、特許文献３には携帯型のものも開示されているが、これもあくまで濡れ傘の水切り装置であり、手が濡れたりして扱いにくく、十分水が取り切れないので、濡れ傘を持ち運ぶのには適さないという問題がある。
【０００５】
本発明は、上記問題を解決して、簡単な構造から成り小型軽量で濡れ傘の持ち運びに便利な携帯用傘ホルダーを提供することを目的としている。
【課題を解決するための手段】
【０００６】
前述した目的を達成するための本発明の手段は、濡れ傘を持ち運ぶための携帯用傘ホルダーにおいて、螺旋状帯板と、この螺旋状帯板の一端に接続した水受けと、前記螺旋状帯板の他端に接続したケースとから成り、前記螺旋状帯板及び前記水受けが前記ケースに収納展開可能に構成されていることを特徴とする。
【０００７】
また、前記ケースは略リング形状を成し、前記螺旋状帯板を収納する収納凹部が形成されていることを特徴とする。
【０００８】
また、前記ケースには前記水受けを着脱可能な係止部を有することを特徴とする。
【０００９】
また、前記ケースのリング部上面には低くなっている部位があることを特徴とする。
【００１０】
また、前記ケースの上面が低くなっている前記部位のリング部には外側へ膨出する膨出部を有し、この膨出部に前記係止部が設けられていることを特徴とする。    
【００１１】
また、前記水受けには開口部から外側へ延在して配設された舌片部を有し、この舌片部に前記螺旋状帯板の一端が接続していることを特徴とする。
【００１２】
また、前記水受けには前記舌片部に対向するように前記開口部から外側へ延在して配設されたガイド部を有し、このガイド部によって濡れ傘の石突きが前記水受け内に案内されることを特徴とする。
【００１３】
また、前記水受けの主要部は前記ケースの中央穴に収納されるが、このとき前記舌片部及び前記ガイド部は前記ケースのリング部を挟むようになることを特徴とする。
【００１４】
また、前記水受けには挿入された前記石突きを保持するための保持部材が配設されていることを特徴とする。
【００１５】
また、前記保持部材は弾性材料により形成された筒状胴部を有し、この胴部内壁から中心に向かって延在する複数の片持ち張り出し片を有することを特徴とする。
【００１６】
また、前記保持部材は弾性材料により形成された筒状胴部を有し、この胴部中央にカップ形状の穴を有することを特徴とする。
【００１７】
また、前記水受けには着脱可能な蓋を有することを特徴とする。
【００１８】
また、前記蓋は前記水受けと連結部によって接続されていることを特徴とする。    
【００１９】
また、前記蓋が前記保持部材を兼ねていることを特徴とする。
【００２０】
また、前記螺旋状帯板の縦断面は前記ケースを上にした姿勢で内端が外端より低い位置にあることを特徴とする。
【００２１】
また、前記螺旋状帯板の巻き方向は前記ケースを上にした姿勢で上から下に向かって時計回りであることを特徴とする。
【発明の効果】
【００２２】
本発明によれば、濡れ傘を持ち運ぶための携帯用傘ホルダーであって、螺旋状帯板と、この螺旋状帯板の一端に接続した水受けと、他端に接続したケースとから成り、螺旋状帯板及び水受けがケースに収納展開可能に構成されているので、濡れ傘の石突きを水受けに挿入してケースを引き上げることで傘を簡単にまとめることができて傘の表面積が少なくなり、水を切りやすいしすぐに乾く。また、螺旋状帯板が衣服と濡れ傘とを隔てるので服が濡れない。構造が簡単でありケースへの展開収納が容易で故障がない。小型軽量でコンパクトで携帯に便利なばかりでなく、ファッションアクセサリともなる。
【発明を実施するための最良の形態】
【００２３】
以下、本発明を実施するための最良の形態である携帯用傘ホルダーを図面に基づいて詳細に説明する。図１は本発明の第一の実施の形態である携帯用傘ホルダーの平面図、図２は同じく底面図、図３は図１のＡ−Ａ矢視断面を示す断面図、図４は図３のＢ部拡大断面図、図５は図３のＣ−Ｃ矢視断面を示す断面図、図６は石突き保持部材を示す斜視図である。
【００２４】
まず、本発明の第一の実施の形態の構成について説明する。図１乃至図３において、１０は本発明の第一の実施の形態である携帯用傘ホルダーを示している。１は携帯用傘ホルダー１０のケースを示しており、ケース１はポリプロピレンなどの熱可塑性樹脂による成形品であり、断面略倒立Ｕ字形のリング部１ａとリング部１ａの外周の一部が外側へ膨出した膨出部１ｂとから成る。リング部１ａはリング状の収納凹部１ｆを有している。膨出部１ｂ下面には後述する水受けを係止するための係止部である突起１ｄが突設されている。膨出部１ｂに対応するリング部１ａ上面には円周方向の断面が略円弧状の凹部１ｃが形成されてリング高さが低くなっている。２は膨出部１ｂの側面に配設したキーリングなどを通す吊り環である。
【００２５】
３は濡れ傘の水滴を受けるための水受けである。水受け３はケース１と同材料から成る成形品であって底板付き筒状をしており、水受け３をケース１へ収納したときには、その主要部が中央穴１ｅへ収納される。開口部３ａから筒の長手方向に延在して互いに対向する平板状の舌片部３ｂと、断面略円弧形状のガイド部３ｃとが形成されている。水受け３をケース１への収納した時にはガイド部３ｃは凹部１ｃの上に位置しており、凹部１ｃとともに傘の石突きを水受け３内へ案内するためのものである。４は図４にも示すように、舌片部３ｂに植設したスナップリングであり、水受け３をケース１への収納した時にはケース１の下にある突起１ｄと係合する。すなわち、舌片部３ｂとガイド部３ｃとがリング部１ａを挟むようになる。
【００２６】
５は図６に示すように、石突きを水受け３内において保持するための保持部材であり、図５に示すように、保持部材５は円筒状胴部５ａの外壁が水受け３の内壁に接するように配設されている。保持部材５はポリウレタンなどの弾性材料により形成されており、水受け３の開口側である胴部５ａの端部近傍の胴部５ａ内壁から中心に向かって延在する複数の片持ち張り出し片５ｂをもっている。張り出し片５ｂの厚みと、先端内接円径及び胴部５ａの内径の寸法とは、石突きの径を勘案して適宜設定される。通常、濡れ傘に付着する水量は約７ｍｌであるから水受け３が約３倍の十分余裕を持った容量になるように寸法設定される。なお、保持部材５の外周に接していない水受け３の部分へ通じるための逃げ穴５ｃが設けてある。
【００２７】
６は螺旋状帯板であり、一端が水受け３の舌片部３ｂに、他端がケース１のリング部１ａの収納凹部１ｆに接続されている。螺旋状帯板６の断面はケース１を上にした姿勢で内端６ａが外端６ｂより低い位置になるような斜面になっている。ケース１のリング部１ａは螺旋状帯板６の収納部であるリング状収納凹部１ｆをもっている。螺旋状帯板６が収納凹部１ｆに収納されるときには同心同径のコイル状に重ねられる。ケース１のリング部１ａの内径は５５ｍｍ、外径を９０ｍｍとして、螺旋状帯板６を展開して傘に巻き付けて使用するときの長さが５０ｃｍ位になるのが適当であるから、コイル巻き数は４以上６以下とするとよい。そして巻き方向はケース１を上にした姿勢で下に向かって時計回りとする。ケース１の内径の設定は５０ｍｍ以下では傘をまとめにくくなるし、６０ｍｍ以上では傘が十分まとまらない。
【００２８】
次に、携帯用傘ホルダー１０の使用方法について説明する。図７乃至図９は携帯用傘ホルダー１０の使用方法を説明する説明図である。図１０及び図１１は石突き保持部材の機能を説明する図５のＤ−Ｄ断面を示す断面図である。図７において、４０は濡れた傘である。４０ａは傘４０の先端部である石突きである。石突き４０ａの径は約１０乃至２０ｍｍであり、先まで同じものや先細りのものがある。図７に示すように、携帯用傘ホルダー１０のケース１を一方の手でつかみ、軽く水を切った濡れ傘４０の柄を他方の手で持って、水受け３のガイド部３ｃとケース１の凹部１ｃとの間に石突き４０ａを矢印で示すように差し込む。この動作によって舌片部３ｄがケース１の突起１ｄから外されることになる。
【００２９】
引き続いて、図８に示すように、水受け３を立てるようにして床面などに当てて押し込み、ケース１を矢印方向に持ち上げる。このときに、石突き４０ａが径小の場合には、図９に矢印で示すように、挿入時には保持部材５の張り出し片５ｂが石突き４０ａによって小さく撓められる。一方石突き４０ａが径大の場合には、図１０に示すように、張り出し片５ｂが大きく撓められる。これらのとき、保持部材の弾性による反発力で水受け３は石突き４０ａをしっかり保持するから、傘４０を持ち上げても水受け３は外れずに付いてくる。
【００３０】
そして、図９に示すように、ケース１を矢印方向に持ち上げるときに、傘４０の柄を持った手で傘４０を上から見て時計回りに回転させながらすると、石突き４０ａによって螺旋状帯板６の径が絞られて傘４０の布がまとまり易くなる。そして、ケース１を十分引き上げたときには手を離しても、ケース１が螺旋状帯板６に引っ張られて傾斜するので、傘４０の布面との間に摩擦力が働いて落ちてこなくなる。
【００３１】
傘４０から携帯用傘ホルダー１０を外すときは、装着したときのようにケース１を下げると螺旋状帯板６がケース１の収納凹部１ｆ内に収まるようになる。そこで水受け３から石突き４０ａを抜いて溜まった水を捨てる。水受け３のガイド部３ｃと舌片部３ｄとの間に螺旋状帯板６を通しながらケース１のリング部１ａを挟むようにして水受け３本体を中央穴１ｅに入れ、スナップリング４をケース１の突起１ｄに係合させればよい。
【００３２】
本発明の第一の実施の形態である携帯用傘ホルダー１０の効果について説明する。携帯用傘ホルダー１０は螺旋状帯板６を備えており、これを傘４０に絡ませながら巻き上げて簡単にまとめることができるから、傘４０の表面積が少なくなり早く乾くようになる。螺旋状帯板６の巻き方向がケース１ａから水受け３に向かって時計回りなので、傘４０を巻き締める方向と一致して傘４０が一層まとまりやすい。濡れ傘の水滴は布の面を伝って落下するとき、螺旋状帯板６に沿って導かれるので落下時間が短くなり水切りを早めることができる。
【００３３】
水受け３近傍の螺旋状帯板６は傘から離れるが、離れるところでは水は傘の方に沿って流れるから離れても問題ない。螺旋状帯板６の存在によって濡れ傘４０が直接衣服に付くのを防いでくれるから衣服が濡れない。また、水受け３には石突き４０ａを保持する保持部材５が配設されているので、一旦水受け３に挿入した石突き４０ａが保持されて抜けない。更に、張り出し片５ｂの作用で石突き４０ａを挿入するときには軽く、抜くときには重くなるので好都合である。
【００３４】
このように、携帯用傘ホルダー１０は構造が簡単であり、取り扱いも容易であって故障がない。また、ケース１に螺旋状帯板６も水受け３の主要部も収納されるから、小さくまとまって携帯に便利である。このとき吊り環２を備えているのでキーリングでバッグに付けたりしてファッションアクセサリとして楽しむことができる。更に、同じ形状でもカラーバリエーションによって商品展開がし易くなる。ノベルティ商品としても好適である。
【００３５】
次に、本発明の第二の実施の形態である携帯用傘ホルダーの構成について説明する。図１２は本発明の第二の実施の形態である携帯用傘ホルダーの底面図である。図１３は図１２のＥ−Ｅ矢視断面を示す断面図である。２０は携帯用傘ホルダーを示している。まず、携帯用傘ホルダー２０の構成を説明する。図１２、図１３において、１１はケースであり、ケース１１が第一の実施の形態であるケース１と異なる点は、ケース１１の膨出部１１ｂにある係止部の構造であり、膨出部１１ｂには係止部としてのスリット１１ｄが形成されている。１２は水受けであり、ケース１１に収納された状態では舌片部１２ｄの先端がスリット１１ｄに挿入されている。
【００３６】
１５は石突き保持部材であり、保持部材１５が第一の実施の形態である保持部材５と異なる点は、材質と構造であり、スポンジ状の弾性部材で形成され、内形１５ａがカップ形状をしている。カップの内径寸法は石突き４０ａの径を勘案して設定される。その他の構成は第一の実施の形態である携帯用傘ホルダー１０と同じであるから同じ構成要素には同じ符号と名称とを付して詳細な説明を省く。ここで、保持部材１５の変形例について説明する。図１４、図１５は保持部材の変形例を示す断面図である。図１４において、２５はコーン形状の貫通穴である内形２５ａをもつ保持部材である。図１５において、２３は底が開いている水受けである。３５は蓋部３５ａをもった保持部材であり、水受け２３に着脱可能に形成されている。
【００３７】
次に、本発明の第二の実施の形態の作用効果について説明する。ケース１１の係止部がスリットであるので、水受け１３とケース１１との脱着が一層容易になっている。石突きの保持部材１３がカップ状のスポンジから成るので、変化のある径の石突きに対応して程良い保持力を発揮する。その他基本構成は第一の実施の形態と同じであるから、第一の実施の形態である携帯用傘ホルダー１０と同じ効果を奏する。底が開いた水受け２３に底蓋と一体型の保持部材３５を用いれば、水受け２３に溜まった水分を早く乾燥させることができる
【００３８】
次に、本発明の第三の実施の形態について説明する。図１６は本発明の第三の実施の形態である携帯用傘ホルダーの平面図であり、図１７は同じく底面図である。図１８は図１６の矢視Ｆ方向から見た正面図であり、図１９は図１７のＧ部の詳細を示す部分拡大斜視図である。まず、本発明の第三の実施の形態である携帯用傘ホルダーの構成について説明する。図１６において、３０は携帯用傘ホルダーである。２１は携帯用傘ホルダー３０のケースであり、３３は底に図示しない開口部をもつ水受けである。第一の実施の形態である携帯用傘ホルダー１０と異なるところは、ケース２１に膨出部を持たないところであり、図１７、図１９に示すように、ケース２１の内壁２１ｇの一部に係止部である溝２１ｄが形成されており、溝２１ｄに水受け３３の舌片部３３ｂが挿入係止されている。矢印方向に滑らせれば係止を解除できる。
【００３９】
２４は水受け３３の底面の開口部に着脱可能に配設された蓋である。裏蓋２４の紛失を防止するためには蓋２４を水受け３３と一体形成するなどして蓋２４を水受け３３に連結部２４ａで接続しておくとよい。その他の構成は第二の実施の形態である携帯用傘ホルダー１０と同じであるから同じ構成要素には同じ符号と名称とを付して詳細な説明を省く。
【００４０】
本発明の第三の実施の形態の作用効果について説明する。ケース２１がリング部２１ａだけから成り、膨出部を持たないので携帯用傘ホルダー３０が一層コンパクトになる。ケース２１の内壁２１ｇの切り欠き部に溝２１ｄを設けたので水受け３３の舌片部３３ｂを挿入して容易に係止することができる。蓋２４を設けたので蓋２４を外して水受け３３内の水分を早く排出させることができる。その他基本構成は第一の実施の形態と同じであるから、第一の実施の形態である携帯用傘ホルダー１０と同じ効果を奏する。
【００４１】
本発明の携帯用傘ホルダーは以上説明した各実施の形態に限定されるものではなく、例えば、ケース及び水受けの材料は他の種類の樹脂又はアルミニウムなどの軽金属であってもよく、螺旋状帯板の材料はリン青銅などの金属バネ部材であってもよい。また、ケースのリング部はその一部が切り欠かれて不連続になっていてもよい。また、螺旋状帯板の端部を同径のリングに接続しておき、このリングに傘を通して螺旋状帯板を巻き付けたときにこのリングが傘の上部に係止できるものであれば、ケースは必ずしもリング状でなくてもよい。螺旋状帯板の連結部は揺動可能なように接続されていてもよい。螺旋状帯板の少なくとも内端６ａ部を包むように滑り止めのゴム材料などを被着させてもよい。また、水受けの形状はケースの中央穴に収納取り出し可能な限り、任意の平面形状、断面形状を有するものであってもよい。更にまた、上述した保持部材は水受けそのものがその機能を備えたものであってもよい。
【００４２】
なお、特許文献３の水切り装置の実施例２の構成要素に螺旋状支持材の記載があるが、この螺旋状支持材は樹脂製線状体からなる水切り部を螺旋状に支持するためのであり、本発明の螺旋状帯板と螺旋状という似た部分もあるが、上述したように、その構成機能ともに全く異なるものであり、また、特許文献３には本発明の構成を示唆するような記載は何ら見あたらない。本発明の携帯用傘ホルダーは螺旋状帯板を巻き付けて濡れ傘を持ち運び、使用後にはケースにコンパクトに収納するという、従来にない新規な技術思想をもつものである。
【産業上の利用可能性】
【００４３】
本発明の携帯用傘ホルダーは濡れ傘の持ち運びだけに留まらず、収納したときにはファッションアクセサリとしても常に身近に携帯して広く適用でき、ノベルティ商品としても好適であり、また、カラーバリエーションにより各方面に広く展開できる。
【図面の簡単な説明】
【００４４】
【図１】本発明の第一の実施の形態である携帯用傘ホルダーの平面図である。
【図２】本発明の第一の実施の形態である携帯用傘ホルダーの底面図である。
【図３】図１のＡ−Ａ矢視断面を示す断面図である。
【図４】図３のＢ部拡大断面図である。
【図５】図３のＣ−Ｃ矢視断面を示す断面図である。
【図６】石突きの保持部材を示す斜視図である。
【図７】本発明の第一の実施の形態である携帯用傘ホルダーの使用方法を示す説明図である。
【図８】本発明の第一の実施の形態である携帯用傘ホルダーの使用方法を示す説明図である。
【図９】本発明の第一の実施の形態である携帯用傘ホルダーの使用方法を示す説明図である。
【図１０】本発明の第一の実施の形態である携帯用傘ホルダーの石突き保持部材の作用を示す図５のＤ−Ｄ矢視断面を示す断面図である。
【図１１】本発明の第一の実施の形態である携帯用傘ホルダーの石突き保持部材の作用を示す図５のＤ−Ｄ断面を示す断面図である。
【図１２】本発明の第二の実施の形態である携帯用傘ホルダーの底面図である。
【図１３】図１２のＥ−Ｅ矢視断面を示す断面図である。
【図１４】保持部材の変形例を示す断面図である。
【図１５】保持部材の変形例を示す断面図である。
【図１６】本発明の第三の実施の形態である携帯用傘ホルダーの平面図である。
【図１７】本発明の第三の実施の形態である携帯用傘ホルダーの底面図である。
【図１８】図１６のＦ矢視正面を示す正面図である。
【図１９】図１７のＧ部の詳細を示す部分拡大斜視図である。
【符号の説明】
【００４５】
１、１１、２１  ケース
１ａ、１１ａ、２１ａ  リング部
１ｂ、１１ｂ  膨出部
１ｄ  突起
１ｅ  中央穴
１ｆ  収納凹部
３、１３、２３、３３  水受け
３ａ  開口部
３ｂ、１３ｂ、３３ｂ  舌片部
３ｃ、１３ｃ、３３ｃ  ガイド部
５、１５  保持部材
５ａ  胴部
５ｂ 張り出し片
６  螺旋状帯板
６ａ  内端
６ｂ  外端
１０、２０、３０  携帯用傘ホルダー
１１ｄ  スリット
１５ａ  内形
２１ｄ  溝
２４  蓋
２４ａ  接続部
４０  傘
４０ａ  石突き
【図１】
2005237572.tif 000003
【図２】
2005237572.tif 000004
【図３】
2005237572.tif 000005
【図４】
2005237572.tif 000006
【図５】
2005237572.tif 000007
【図６】
2005237572.tif 000008
【図７】
2005237572.tif 000009
【図８】
2005237572.tif 000010
【図９】
2005237572.tif 000011
【図１０】
2005237572.tif 000012
【図１１】
2005237572.tif 000013
【図１２】
2005237572.tif 000014
【図１３】
2005237572.tif 000015
【図１４】
2005237572.tif 000016
【図１５】
2005237572.tif 000017
【図１６】
2005237572.tif 000018
【図１７】
2005237572.tif 000019
【図１８】
2005237572.tif 000020
【図１９】
2005237572.tif 000021